(57)【要約】【課題】既存の抜きにくいプラグに簡単に装着でき、簡単に抜ける、構造が簡単で安価に製造できるプラグ抜き具を提供すること。又、電気掃除機のような電気器具の長いコードの先に付いたプラグに装着して、離れたところから抜くことができる、簡単で安価なプラグ抜き具を提供すること。【解決手段】１対のつかみ部１１と腕部１２とを弾性部１４に付ける。弾性部１４は、前記つかみ部１１と腕部１２とを内側に押しつける。前記つかみ部１１を開かせる１対の握り部１５を弾性部１４の反対側に取付ける。つかみ部１１、腕部１２、弾性部１４又は握り部１５のどれかに取手１６を付ける。【選択図】        図１
2005044537.tif 000002
【特許請求の範囲】
【請求項１】
１対のつかみ部（１１）と腕部（１２）とを、これらのつかみ部（１１）と腕部（１２）とを内側に押しつける弾性部（１４）に付け、前記つかみ部（１１）を開かせる１対の握り部（１５）を前記弾性部（１４）の前記つかみ部（１１）と腕部（１２）との反対側に付け、前記つかみ部（１１）、腕部（１２）、弾性部（１４）又は握り部（１５）のどれかに取手（１６）を付けたプラグ抜き具。
【請求項２】
つかみ部（１１）とこれに対応する握り部（１５）とが弾性部（１４）の同じ側にある、請求項１に記載のプラグ抜き具。
【請求項３】
つかみ部（１１）とこれに対応する握り部（１５）とが弾性部（１４）の反対側にある、請求項１に記載のプラグ抜き具。
【請求項４】
１対のつかみ部（１１）及び腕部（１２）並びに前記つかみ部（１１）を動かす１対の握り部（１５）及び取手（１６）を支点（１４２）で回転自在に結合したプラグ抜き具。
【請求項５】
つかみ部（１１）の先端に爪（１１１）を内側に向けて設けた、請求項１〜請求項４のいずれか１項に記載のプラグ抜き具。
【請求項６】
つかみ部（１１）、腕部（１２）又は握り部（１５）の内側に滑り止め付きの蓋開部（１７）を設けた、請求項１〜請求項５のいずれか１項に記載のプラグ抜き具。
【請求項７】
取手（１６）が引紐（１６３）である、請求項１〜請求項３のいずれか１項に記載のプラグ抜き具。
【請求項８】
取手（１６）がリール（１６４）付の引紐（１６３）である、請求項１〜請求項３のいずれか１項に記載のプラグ抜き具。
【発明の詳細な説明】
【０００１】
【発明の属する技術分野】
この発明は、コンセントからプラグを抜く道具に関する。抜きにくいプラグをつかんで、抜く道具である。プラグに近付いて、直接プラグを抜くものと離れた所から遠隔操作で抜くものとがある。プラグは、電源プラグのことで、電源コードの先に取り付けて、電気の供給を受けるために電源コンセントに差し込んで使用するものである。
【０００２】
【従来の技術】
従来のプラグ抜き具には、プラグに近付いて抜くものと離れた所から遠隔操作で抜くものとがある。プラグに近付いて抜くものでは、Ａ）プラグにプラグ抜き具を接着するもの、Ｂ）プラグの差込端子（栓刃、ブレードともいう。コンセントに差し込んで電気を受ける金属製の板状のもの。以下端子という。）が挿入できる端子挿入孔を設けた薄板状物に指挿入孔を設けたもの、Ｃ）レバーを用いたものの３種類がある。
【０００３】
離れた所から遠隔操作で抜くものでは、既存のプラグに取り付けるプラグ抜き具で、離れた所から遠隔操作する抜き具の従来の技術はないが、参考のため、プラグ自体に遠隔操作による抜き装置を設けたものを挙げて見ると、多数あり、Ｘ）ワイヤーを用いるもの、Ｙ）チューブ・流体を用いるもの、Ｚ）電気的手段によるものの３種類がある。
【０００４】
まず、プラグに近付いて抜くものでは、Ａ）のものは、１）実開平  ３−２２３７０「プラグ引抜きベルト」は、プラグの頭部に巻き付ける、接着剤部付の帯状の鉢巻き部とこれに連接され、手で握ってプラグを引き抜くための握り部とで構成されたものである。２）実登  ３０４１５９６「プラグ用取っ手」は、図１１に示すように、プラグの頭部に接着するＴ字型の接着部とこれに付けられた弾力のある樹脂製の取っ手部とで構成されたものである。
【０００５】
Ｂ）のものでは、１）実開昭  ５７−１３０９７７「プラグ抜き補助具」は、左右の端にリング状の握り部を設けた弾力性の肉薄板の中央に、プラグの端子を入れる２つの端子挿入孔を設け、その両脇に折り曲げ部を設けたものである。２）実開平  ５−６２９８２「プラグ引抜用アダプタ」は、指を挿入して引張り可能な指挿入孔を付けたベース部の先に、プラグの端子を挿入する端子挿入部を設けたものである。３）実登  ３０５６３６１「プラグ外し具」は、塵取状の防塵カバーの底面に、プラグの端子を挿入する端子挿入部を設け、前記防塵カバーの縁部に指を挿入して引張り可能な指挿入部を付けたものである。４）特開２０００−４８９０７「プラグ外し具」は、３）の「プラグ外し具」と同一（出願人も同じ）である。
【０００６】
Ｃ）のものでは、１）実開昭  ６０−１２６９８２「プラグの引抜き具」は、プラグの端子挿入孔を有するコの字型の絶縁性基盤と、引抜き片とつまみとを鈍角に形成した引き抜きレバーとをピンで回転可能に結合したものである。２）実開平  ２−７７８８１「差込プラグの脱着器具」は、プラグに粘着剤で装着した保持プレートと鈍角に曲げられた絶縁性レバーとを回転可能に結合したものである。
【０００７】
次に、遠隔操作する抜き具で、プラグ自体に遠隔操作による抜き装置を設けたものでは、Ｘ）は３件ある。１）実開昭  ５７−１８６９８４「プラグ抜去装置」は、コードの中にワイヤーを通し、このワイヤーを引張ることにより、プラグの中に設けた押出部品の抜去軸を押し出してプラグを抜くものである。２）実開昭５８−４９１８３「差込みプラグ」は、くの字型鈍角に曲げた操作板の一端に紐材を固定し、この紐材をプラグの末端部に形成した貫通孔に通し、数回らせん状に曲げたコードの中を通してコードに固定したものである。コードを引くと紐材が引かれ、操作板の他端が動きプラグが抜ける。３）特開平４−３６６５７２「コンセントプラグ」は、ワイヤーを引張ると、プラグの端子がプラグ本体内に収納され、プラグが外れるものである。
【０００８】
Ｙ）のものは、１件で、１）実開平  ５−５７７７４「プラグの遠隔取り外し装置」は、伸縮可能なコードに同じく伸縮可能なチューブを添わせ、電気器具とプラグの端子間に内蔵されたピストンとにつなぐ。チュープ内の流体が加圧されると、前記ピストンを押し出し、プラグは外れる。
【０００９】
Ｚ）のものは、３件ある。１）特開平１１−８６９６７「差込みプラグ引抜き方法及び引抜き装置」は、電源コードからスイッチを介して別の電線をプラグ部に内蔵されたソレノイドに接続する。スイッチをオンにすると、前記ソレノイドが端子を引き抜くので、プラグは抜かれる。２）特開平  １１−１６２５６２「プラグの自動抜去装置」は、制御回路をオンオフする操作機構と、この操作機構からの操作により駆動開始すると共にその駆動力によりプラグをコンセントから抜去して取外すための押出力を付与させる駆動機構と、この駆動機構の駆動力により付与される押出力によりプラグを押出してコンセントから取外す押出機構と、を備えたものである。３）特表  ２０００−５００９１１「プラグ引き抜きデバイス」は、電気的駆動装置を備えたピストン状体がソケットに対して圧力を与え、プラグを引き抜くものである。
【００１０】
【発明が解決しようとする課題】
従来の技術の内、プラグに近付いて抜くもののＡ）は、１）、２）共にプラグに接着しなければならず、面倒である。又一般にプラスチックは、接着しにくいものである。接着するので、抜きにくいプラグ１個につき抜き具が１個必要になる。抜きにくいプラグが複数個あっても、プラグ抜き具１個では対応できない。更に、プラグにプラグ抜き具のにぎり部や取っ手部が付いたままになるので、普段は邪魔になり、外観もよくない。
【００１１】
Ｂ）は、１）、２）、３）、４）共に端子挿入孔にプラグの端子を挿入するので、係止部の厚みが厚いと、端子２２の保持孔２２１にコンセントの保持用突起が十分はまらず保持が不安定になる恐れがある。抜き具の端子挿入孔にプラグの端子を挿入するので、抜き具がプラグに固定化され、抜きにくいプラグ１個にプラグ抜き具１個が必要になる。
【００１２】
Ｃ）は、１）、２）共に上記Ｂ）と同様の問題点がある。即ち、絶縁性基盤やコネ板が厚いと、端子の保持孔にコンセントの保持用突起が十分はまらず保持が不安定になる恐れがある。プラグにプラグ抜き具を装着した状態で、プラグをコンセントに差し込むので、抜き具がプラグに固定化され、別の抜きにくいプラグには、別のプラグ抜き具が必要になる。
【００１３】
Ａ）、Ｂ）、Ｃ）に共通して、ウッカリそのまま差し込んでしまった抜きにくいプラグには、適用できないという問題点がある。
【００１４】
離れた所から遠隔操作で抜くものは、前記のように既存のプラグに装着するプラグ抜き具の従来の技術はないが、プラグ自体に装置を設けたものでは、Ｘ）の１）は、コード内に摺動可能にワイヤーを通すのは、コストが高いものになると考えられる。コードは、連続生産するので、量がまとまらないと生産しにくい。新規性や進歩性には有利でも、現実的にはコスト面で不利である。プラグ内部も複雑である。２）は、紐材の一端をコードに固定しており、遠隔操作をするには、コードを引かねばならない。電気器具の説明書には、導線が断線するので、コードは引張ってはならないと書いてある。コードを引くのは問題である。３）は、ワイヤーカバー付きのワイヤーを使用するので、コスト高になる。電気掃除機等コードを巻き取るものでは、コードとワイヤーカバー付きのワイヤーとを一体にしたものは、太くなり、巻き取り後のリールが大きくなる。
【００１５】
Ｙ）は、コードに複合されるチューブは、コスト高となる。太くなり、巻き取り後のリールが大きくなる点も同じである。その他に、流体の加圧装置が必要になることもコスト高になる。
【００１６】
Ｚ）は、どれも構造が複雑でコスト高になる。
【００１７】
この発明が解決しようとする課題は、抜きにくい、既存のプラグを抜くときだけプラグに装着し、プラグを抜く、簡単な構造で、安価なプラグ抜き具を提供することである。又、電気掃除機のような電気器具の長いコードの先に付いたプラグに装着して、離れた所から抜く、引紐付の、簡単で安価なプラグ抜き具を提供することである。
【００１８】
【課題を解決するための手段】
この発明に係るプラグ抜き具は、前記の課題を解決したものであって、次のようなものである。
【００１９】
請求項１記載の発明に係るプラグ抜き具は、１対のつかみ部１１と腕部１２とを、これらのつかみ部１１と腕部１２とを内側に押しつける弾性部１４に付け、前記つかみ部１１を開かせる１対の握り部１５を前記弾性部１４の前記つかみ部１１と腕部１２との反対側に付け、前記つかみ部１１、腕部１２、弾性部１４又は握り部１５のどれかに取手１６を付けたものである。
【００２０】
つかみ部１１は、プラグ２をつかむものである。つかみ部１１の先端には、滑り止めを付けてもよい。つかみ部１１の先を内側に曲げているのは、プラグ２の側面が凹状になったものがあるためであるが、曲げずに延ばしたままでもよい。
【００２１】
弾性部１４は、１対のつかみ部１１を内側に押しつけるもので、押しつける力は、材料の弾性による。押しつける力の調整は、弾性部１４の形状、幅、厚さ、材質等で行う。弾性材として、バネ１４１や板バネ１４３等金属製のバネを使用してもよい。腕部１２は、つかみ部１１と弾性部１４とをつなぐものである。握り部１５は、握ることにより、つかみ部１１を開かせるものである。但し、つかみ部１１と対応する握り部１５とが弾性部１４を介して交差するものでは、動きが逆になるので、握るとつかみ部１１が閉まることになる。取手１６は、プラグ２を抜くため、プラグ抜き具１に力をかけるもので、プラグ抜き具１のどこかに付いておればよいが、通常は、握り部１５に付ける。
【００２２】
材質は、金属でもプラスチックでもよいが、後者にすると、成型が容易で、安く作れる。プラスチックで作り、弾性部１４を金属で作って補強してもよい。
【００２３】
請求項２記載の発明に係るプラグ抜き具は、つかみ部１１とこれに対応する握り部１５とが弾性部１４の同じ側にある、請求項１に記載の発明である。対応するとは、１つのつかみ部１１と１つの握り部１５とが連動することを意味する。同じ側とは、前後（プラグ２の端子２２とコード２１のように）のではなく、左右のそれである。
【００２４】請求項３記載の発明に係るプラグ抜き具は、つかみ部１１とこれに対応する握り部１５とが弾性部１４の反対側にある、請求項１に記載の発明である。つかみ部１１と対応する握り部１５とが弾性部１４を挟んで交差した形になる。握り部１５とつかみ部１１とは、動く方向が逆になる。
【００２５】請求項４記載の発明に係るプラグ抜き具は、つかみ部１１及び腕部１２並びに前記つかみ部１１を動かす１対の握り部１５及び取手１６を支点１４２で回転自在に結合したものである。丁度ハサミの刃の部分の先につかみ部１１を付けたような形である。本明細書では、回転は、左右に回転するものを意味する。取手１６を握り部１５と兼用させたペンチ又はハサミのような形のものでもよい。この場合、支点１４２部に握り部１５を開かせるバネを付けてもよい。
【００２６】請求項５記載の発明に係るプラグ抜き具は、つかみ部１１の先端に爪１１１を内側に向けて設けた、請求項１〜請求項４のいずれか１項に記載のプラグ抜き具である。爪１１１は、プラグ２とコンセント４との間の隙間に差込んで、つかみ部１１の滑り止めにするものである。爪１１１は、上記の隙間に差込むものなので、薄いものである。金属製のごく薄いものにしてもよい。
【００２７】請求項６記載の発明に係るプラグ抜き具は、つかみ部１１、腕部１２又は握り部１５の内側に滑り止め付きの蓋開部１７を付けた、請求項１〜請求項５のいずれか１項に記載のプラグ抜き具である。プラグ抜き具に蓋開具の機能を追加して、蓋開具兼プラグ抜き具としたものである。滑り止めを付けて蓋開部１７にするのは、つかみ部１１、腕部１２又は握り部１５のどれか１つでもよいし、複数のものでもよい。蓋開部１７の滑り止めは、凹凸を付けたものでもゴム、軟質プラスチック等の滑りにくい材質のものを付けたものでもよい。
【００２８】請求項７記載の発明に係るプラグ抜き具は、取手１６が引紐１６３である請求項１〜請求項３のいずれか１項に記載のプラグ抜き具である。取手１６として引紐１６３を付けて、既存のプラグ２を遠隔操作で抜くようにしたプラグ抜き具である。引紐１６３は、丸い紐でも偏平な紐でもよいし、巻尺（スケール）のような金属製のものでもよい。鎖状のものでもよい。離れた所から引くことができればよい。引紐１６３の先端は、手で持っていてもよいし、電気器具６に結び付けておいてもよい。
【００２９】請求項８記載の発明に係るプラグ抜き具は、取手１６にリール１６４付の引紐１６３を付けた請求項１〜請求項３のいずれか１項に記載のプラグ抜き具である。引紐１６３を付けて、既存のプラグ２を遠隔操作で抜くようにし、更に引紐１６３の先にリール１６４を付けたプラグ抜き具である。リール１６４により引紐１６３は、巻き取られる。リール１６４にフック、磁石、吸盤、粘着剤等を付けて、電気掃除機等の電気器具６に付けられるようにしてもよい。
【００３０】
【発明の実施の形態】
本発明の実施の形態を実施例に基づき、図面を参照しながら説明する。
【実施例】
実施例１
実施例１を図１に基づいて説明する。図１の（Ａ）はプラグ２を示す斜視図、（Ｂ）はプラグ抜き具１を示す斜視図、（Ｃ）はプラグ２にプラグ抜き具１を装着し、取手１６に手３を掛けてプラグを抜くところを示す斜視図である。
【００３１】
実施例１のプラグ抜き具は、プラグ２の側面をつかんで、装着するもので、（Ｂ）に示すように、Ｈ字型の片方の開放部の先端部を内側に少し折り曲げて、１対のつかみ部１１とし、他方の開放部の先端部を薄い板状の取手１６と結合したものである。
【００３２】
つかみ部１１と取手１６との中間部に弾性部１４を結合し、結合部分１３とする。弾性部１４は、この結合部分１３も含む。つかみ部１１と結合部分１３との間を腕部１２とする。結合部分１３と取手１６との中間部を握り部１５とする。握り部１５を握ると、結合部分１３が支点となって、つかみ部１１が外側に開く。取手１６は、薄くて、変形し易い。
【００３３】
なお、つかみ部１１は、プラグ２の側面が平らなときは折り曲げなくてもよいが、プラグ２の側面が凹部になっていたり、波打っていたりすることがあるので、密着をよくするため、少し折り曲げている。
【００３４】
使い方は、このプラグ抜き具１の握り部１５を握って、つかみ部１１を外側に開き、プラグ２の側面をつかんで装着する。（Ｃ）に示すように、取手１６を手３で引張って、プラグ２を抜く。抜いたあとは、プラグ２にプラグ抜き具１を付けたままにしておいてもよいし、外してもよい。外せば、別のプラグ２を抜くのに使える。
【００３５】
プラグ２をつかむ力は、弾性部１４の弾性による。つかむ力の調整は、弾性部１４の材質、形状（厚さ、幅を含む）で行う。プラグ抜き具１の材質は、金属でもプラスチックでもよい。つかむ力が強ければ、つかみ部１１が滑って、プラグ２から外れることはないが、つかみ部１１の接触面に滑り止めや突起を設けてもよい。
【００３６】
実施例１のプラグ抜き具１は、構造が簡単で安価に作れ、使い方が簡単であり、又、着脱が容易にできるので、使用後は、プラグ抜き具１を外しておけばスッキリするし、邪魔にならない。既存のどのような形状のプラグ２にも適用でき、コンセント４に差込んでから抜きにくいことに気付いたプラグ２にも使用できる。又、プラグ抜き具１が１個あれば、複数の抜きにくいプラグ２に適用できるという効果がある。
【００３７】
実施例２
実施例２を図２に基づいて説明する。図２の（Ａ）は実施例２のプラグ抜き具１を示す斜視図、（Ｂ）は（Ａ）の平面図、（Ｃ）は他の例を示す平面図である。
【００３８】
実施例２のプラグ抜き具は、実施例１のものの弾性部１４を中間部で折れ曲がるようにし、弾性材としてバネ１４１を用いたものである。中間部を細いリベット等で固定し、支点１４２とする。他は、実施例１のものと同じである。但し、（Ｃ）は、２本の腕部１２と握り部１５とが互いに平行ではなく、つかみ部１１は狭く、取手１６部は広くなっている。
【００３９】
プラグ２をつかむ力の調整は、バネ１４１で行う。
【００４０】
支点１４２は、リベット、ビス等の代わりに、プラスチック成型による穴と丁度はまる突起、薄く成型したヒンジ等でもよい。その他は、実施例１のものと同じである。
【００４１】
実施例２のプラグ抜き具１は、プラグ２をつかむ力の調整が、バネ１４１の強さを変えることにより、簡単にできる。図２の（Ａ）は、ストッパー１４５を省略している。ストッパー１４５は、つかみ部１１がこれ以上近付かないようにするものである。バネ１４１は、矢印の方向に力がかかるものである。
【００４２】
（Ｃ）のものは、プラグ２に装着した際に、２本の腕部１２等が互いに平行に近くなり、外観がよくなるという効果がある。その他は、実施例１の効果と同じである。
【００４３】
実施例３
実施例３を図３に基づいて説明する。図３は実施例３のプラグ抜き具１を示す平面図である。
【００４４】
実施例３のプラグ抜き具１は、ハサミやペンチのように、つかみ部１１・腕部１２と握り部１５とがＸ字型に交差し、支点１４２でリベットやビス等で回転自在に結合し、弾性材としてバネ１４１を用いたものである。バネ１４１は、腕部１２側に付け、矢印のように、内側に閉まる方向に、力がかかる。支点１４２部の握り部１５側には、ストッパー１４５を設け、これ以上閉まらないようにしている。握り部１５の先端には、薄い板状の取手１６を付ける。
【００４５】
使い方は、握り部１５の内側に指を入れ、外側に広げるようにして、つかみ部１１を広げ、プラグ２をつかみ、装着する。又は、両手で握り部１５を広げてもよい。バネ１４１の力でプラグ２をつかむので、取手１６を手３で引く。又は、握り部１５を握ると、つかみ部１１は閉まるので、握り部１５を握って、引いてもよい。
【００４６】
実施例３のプラグ抜き具１は、バネ１４１の力が仮に不十分（プラグ２がそれだけ抜けにくい）でも、握り部１５を握ると、つかみ部１１を締付けるので、つかみ部１１が滑らないという効果がある。
【００４７】
実施例４
実施例４を図４に基づいて説明する。図４の（Ａ）、（Ｂ）及び（Ｃ）は実施例４のプラグ抜き具１を示す平面図である。
【００４８】
実施例４のプラグ抜き具１は、実施例１と実施例２とのプラグ抜き具１の取手１６を変えたものである。
【００４９】
（Ａ）のものは、実施例１のプラグ抜き具１の薄い板状の取手１６を細長いリング状の取手１６に変え、弾性部１４の中央部に取り付けたものである。リング状の取手１６と弾性部１４とをつなぐ脚１６１の長さや太さは、適宜変えてよい。柔軟性のあるものにしてもよい。使い方は、プラグ２に装着して、リング状の取手１６に指を入れて引張り、プラグ２を抜く。その他は、実施例１と同じである。
【００５０】
（Ｂ）は、実施例２のプラグ抜き具１の薄い板状の取手１６を棒状の取手１６に変え、弾性部１４の中央部の支点部に取り付けたものである。棒状の取手１６と弾性部１４とをつなぐ脚１６１の長さや太さは、適宜変えてよい。柔軟性を与えてもよい。使い方は、プラグ抜き具１をプラグ２に装着して、棒状の取手１６に指を掛けて引張り、プラグ２を抜く。その他は、実施例２と同じである。なお、図では分かり易くするため、脚１６１を迂回させている。
【００５１】
（Ｃ）は、実施例２のプラグ抜き具１の薄い板状の取手１６を球状の取手１６に変え、腕１２間に取り付けた連結片１６２の中央に取り付けたものである。連結片１６２の長さや太さは、適宜変えてもよいし、柔軟性を与えてもよい。球状の取手１６と連結片１６２とをつなぐ脚１６１の長さや太さは、適宜変えてよい。柔軟性を与えてもよい。腕１２と握り部１５との角度を直線状から少し曲げたものに変え、握り部１５が出っ張らないようにした。使い方は、プラグ抜き具１をプラグ２に装着して、球状の取手１６を握って引張り、プラグ２を抜く。その他は、実施例２と同じである。なお、図では分かり易くするため、脚１６１を迂回させている。
【００５２】
（Ｃ）のプラグ抜き具１は、連結片１６２が腕部１２間に取り付けられているので、取手１６を引くと、つかみ部１１が閉まる方向に力が加わるので、外れにくい。握り部１５が内側に折れ曲がっているので、かさ張らない。その他は、実施例１及び実施例２と同じである。
【００５３】
実施例４のプラグ抜き具１は、取手１６に脚１６１が付いているので、取手１６を引くときに、水平方向（プラグ２と平行）の他に多少斜めに引いてもよいという効果がある。（Ｃ）のものは、上記のように、取手１６を引くと、つかみ部１１が閉まる方向に力が加わるので、外れにくい。握り部１５が内側に折れ曲がっているので、かさ張らないという効果がある。その他の効果は、実施例１のものと同じである。
【００５４】
実施例５
実施例５を図５に基づいて説明する。図５の（Ａ）は実施例５のプラグ抜き具を示す斜視図、（Ｂ）は（Ａ）の平面図、（Ｃ）は板バネ１４３の他の例を示す斜視図、（Ｄ）は別の例の板バネ１４３を示す背面図である。
【００５５】
実施例５のプラグ抜き具１は、弾性材として、板バネ１４３を用いたものである。紙を挟む文房具のダブルクリップに似た、コの字型の開放部を少し内側に閉めた形状の板バネである。
【００５６】
（Ａ）、（Ｂ）のものは、板バネ１４３の相向かう面に、腕部１２と握り部１５との働きをする板状物を取り付け、２枚の板状物をつなぐ面（弾性部１４）の中央に、紐状でループ状の取手１６を取り付ける。腕部１２の先端部は、実施例１と同様、少し折り曲げて、つかみ部１１とする。２枚の板状物は、平行ではなく、つかみ部１１が狭く、握り部１５が広くなっている。
【００５７】
（Ｃ）のものは、板バネ１４３の弾性部１４の下部にコード２１が入るための凹部１４４を設けたものである。
【００５８】
（Ｄ）のものは、弾性部１４に凹部１４４を設ける代わりに、板バネ１４３の高さを小さくしたものである。板バネ１４３の弾性部１４の下にコード２１を通す。
【００５９】
プラグ２を挟む力の調整は、板バネ１４３の強さで行う。なお、板バネ１４３は、上記のように、つかみ部１１側を狭くしたものの他に、コの字状で腕１２が平行なものでもよい。又、板バネ１４３は、腕部１２側でなく、握り部１５側に付けてもよい。即ち、握り部１５を外側に押し広げる働きをするものでもよい。
【００６０】
又、腕部１２と握り部１５とは、真っ直ぐな板状でなく、図４の（Ｃ）のように、少し折れ曲がったものでもよい。取手１６も他の形状のものでもよい。
【００６１】
使い方は、握り部１５を握って、つかみ部１１を広げて、プラグ２に装着し、ループ状の紐の取手１６を手３で引張って、プラグ２を抜く。
【００６２】
実施例５のプラグ抜き具１は、板バネ１４３を用いるので、弾性部１４の構造が簡単で、確実である。（Ｃ）や（Ｄ）のものはコード２１を通すところがあるので、プラグ抜き具１を水平に装着できるという効果がおる。その他の効果は、実施例１と同じである。
【００６３】
実施例６
実施例６を図６に基づいて説明する。図６の（Ａ）、（Ｂ）及び（Ｃ）は、実施例６のプラグ抜き具１を示す平面図である。
【００６４】
実施例６のプラグ抜き具１は、ペンチ又はハサミのように、支点１４２を中心にして、Ｘ字型につかみ部１１と握り部１５とが交差するものである。又、握り部１５と取手１６とが兼用になっている。即ち、握り部１５を握った状態で、プラグ２を引き抜くものである。（Ｃ）のものは、バネ１４１により握り部１５を閉め、つかみ部１１を押しつけた状態にしているものである。その他は、実施例１と同じである。
【００６５】
支点１４２は、リベットやネジ等の他に、孔（貫通し奥が少し広い）と丁度はまる突起でもよい。又は、穴（くぼみ状で奥が少し広い）と丁度はまる突起でもよい。バネ１４１は、（Ｃ）のように握り部１５・取手１６兼用側でなく、反対側の腕部１２側に付けてもよい。
【００６６】
使い方は、（Ａ）のものは握り部１５を丁度ペンチを使うときのように、指で広げ、つかみ部１１を広げて、プラグ２の側面をつかみ、握り部１５を握ったまま、即ち、プラグ２を挟みつけたままで引き抜く。
【００６７】
（Ｂ）のものは、ハサミのように、握り部１５兼取手１６の輪の中に指を入れて、広げ、つかみ部１１を広げて、プラグ２をつかみ、握り部１５兼取手１６を握ったままでプラグ２を引き抜く。
【００６８】
（Ｃ）のものは、（Ｂ）とおなじであるが、バネ１４１でつかみ部１１を締め付けているので、引き抜いた後、プラグ２に装着したままにすることもできる。
【００６９】
実施例６のプラグ抜き具１は、ペンチやハサミ感覚で使え、プラグ２に装着と同時に抜くことができる。即ち、１動作で（握り部１５から取手１６に持ち替えずに）作業できるという効果がある。プラグ２をつかむ力を自分で調整でき、確実に抜けるという効果がある。（Ｃ）のものは、バネ１４１でつかみ部１１を閉めているので、プラグ２に付けたままにすることもできる。抜きにくいプラグ２が１個のときに探す手間が省けるという効果がある。
【００７０】
実施例７
実施例７を図７に基づいて説明する。図７の（Ａ）は実施例７のプラグ抜き具１を示す平面図、（Ｂ）は（Ａ）のつかみ部１１の拡大平面図である。
【００７１】
実施例７のプラグ抜き具１は、実施例６のもののつかみ部１１の先端部内側に爪１１１を設けたものである。プラグ２とコンセントとの隙間に、爪１１１を挿入し、スリップを防止して、プラグ２の引抜きを一層確実なものとする。（Ａ）のものは、実施例６の（Ｂ）のものに爪１１１を設けたものである。（Ｂ）の拡大平面では、爪１１１を厚く画いているが、実際は薄い。
【００７２】
使い方は、コンセントとプラグ２との隙間に爪１１１を挿入し、握り部１５兼取手１６を握ったままで引き抜く。
【００７３】
実施例７のプラグ抜き具１は、爪１１１がコンセントとプラグ２との隙間に挿入されるので、スリップを防止し、確実にプラグ２が抜けるという効果がある。その他は、実施例６のものと同じである。
【００７４】
実施例８
実施例８を図８に基づいて説明する。図８の（Ａ）は実施例８のプラグ抜き具１を示す平面図、（Ｂ）、（Ｃ）は他の例を示す平面図である。
【００７５】
実施例８のプラグ抜き具１は、固く、開けにくい栓や蓋５を開ける蓋開具とプラグ抜き具とを兼用にしたものである。（Ａ）のものは、実施例１のプラグ抜き具１の握り部１５を円弧状にし、内側にギザギザ（鋸歯の様な刻み目）を付けて、蓋開部１７としたものである。（Ｂ）のものは、実施例６のハサミ型のプラグ抜き具１のつかみ部１１の先端を平らにして延ばし、内側に滑り止めのギザギザを付け、腕部１２を円弧状に曲げて、内側に滑り止めのギザギザを付けて、蓋開部１７としたものである。（Ｂ）のものは、蓋開部１７を半円形に曲げたもので、径の小さい蓋５に適したものである。（Ｃ）のものは、（Ｂ）の蓋開部１７を大きな円の円弧にしたもので、径の大きい蓋５に適したものである。（Ｃ）は、蓋５を挟んだ状態を示す。
【００７６】
使い方は、滑り止め付いたつかみ部１１でプラグ２をつかみ、取手１６又は、握り部１５兼取手１６を握ったままで引き抜く。開けにくい蓋５等を蓋開部１７に入れて挟んで回すのに使う。径の小さい蓋５には、（Ｂ）の半円状の蓋開部１７のものを、径の大きい蓋５には、（Ｃ）の大きな円の円弧にしたものを使うとよい。（Ｃ）のものは、径の小さい蓋５にも使える。
【００７７】
実施例８のプラグ抜き具１は、プラグ２を抜く他に、固い栓や蓋５を開けるのにも利用できるという効果がある。
【００７８】
実施例９
実施例９を図９に基づいて説明する。図９の（Ａ）は実施例９のプラグ抜き具１を示す平面図、（Ｂ）、（Ｃ）は他の例を示す平面図である。
【００７９】
実施例９のプラグ抜き具１は、（Ａ）に示すように、実施例６のハサミ型のプラグ抜き具１の握り部１５兼取手１６の内側に滑り止めのギザギザを付け、蓋開部１７としたものである。蓋開部１７は、（Ａ）のように大きな円の円弧状にすると、径の大きい蓋５から小さい蓋５まで適用できる。
【００８０】
（Ｂ）のものは、腕部１２の内側にも蓋開部１７を設けたもので、この部分では、径の小さい栓や蓋５に適し、径の大きい栓や蓋５には、握り部１５兼取手１６の内側に滑り止めを付けた蓋開部１７が適す。腕部１２の蓋開部１７は、強く締め付けられるので、固い栓や蓋５によい。
【００８１】
（Ｃ）のものは、（Ｂ）のもののつかみ部１１を除去し、蓋開部１７の先端部をつかみ部１１にしたものである。
【００８２】
使い方は、つかみ部１１でプラグ２をつかみ、握り部１５兼取手１６を握ったままで引き抜く。開けにくい蓋５等を蓋開部１７に入れて挟んで回すのに使う。径の小さい蓋５には、（Ｂ）、（Ｃ）の腕部１２に設けた蓋開部１７を、径の大きい蓋５には、（Ａ）、（Ｂ）、（Ｃ）の握り部１５兼取手１６に設けた蓋開部１７を使うとよい。
【００８３】
実施例９のプラグ抜き具１は、プラグ２を抜く他に、固い栓や蓋５等を開けるのにも利用できるという効果がある。（Ｃ）のものは、簡単な構造で機能が多いという効果がある。
【００８４】
実施例１０
実施例１０を図１０に基づいて説明する。図１０は実施例１０のプラグ抜き具１を示す説明図である。図の電気器具６は、電気掃除機を示す。
【００８５】
実施例１０のプラグ抜き具１は、例えば電気掃除機のような電気器具６に付いた長いコード２１の先に付いたプラグ２を離れた所から引紐１６３を引くことにより、コンセント４から抜くものである。
【００８６】
プラグ抜き具１は、実施例１のもので、弾性部１４に引紐１６３を付ける。引紐１６３の他端は、リール１６４に付ける。リール１６４は、引紐１６３の巻取具で、引紐１６３をバネ仕掛けで、自動的に巻取るもので、巻尺（スケール）のように引紐１６３を引けば出て、緩めれば中へ入って行くものである。又は、引けば出て、止まったままで、緩めても中へ入らないものでもよい。リール１６４は、吸盤、磁石、フック、粘着剤等により電気器具６に取り付ける。粘着剤では付けたままになるので、その電気器具６専用になってしまう。
【００８７】
使い方は、コンセント４に差し込んだプラグ２にプラグ抜き具１を装着する。電気器具６を移動させると、コード２１が出てくるが（又は、予めコード２１を引出しておくが）、同時に引紐１６３もリール１６４から出てくる。電気器具６の使用が終わり、プラグ２を抜きたいときは、離れた所からでも、引紐１６３を引けばよい。リール１６４の着脱は簡単なので、他の電気器具６に移して使用してもよいし、そのまま同じ電気器具６に付けたままにしてもよい。
【００８８】
プラグ抜き具１は、実施例１〜５のものでもよい。プラグ２に装着できればよい。なお、電気掃除機等電気器具６のメーカーがプラグ抜き具１もセットで販売するのであれば、例えば、プラグ２の側面に凹部を設け、この凹部に対応した凸部をプラグ抜き具１設けるとかすれば、簡単でかさ張らない、デザイン的にも優れたプラグ２とプラグ抜き具１との組み合わせも作ることができる。引紐１６３は、リール１６４に取付けずに、端を手で持っていてもよい。
【００８９】
実施例１０のプラグ抜き具１は、離れた所からでもプラグ２を抜くことができる。コード２１に負担をかけないので、コード２１が傷まない。プラグ２及び電気器具６への着脱が簡単なので、１個あれば、複数の電気器具６に使用できるという効果がある。
【００９０】
【発明の効果】
請求項１に示す発明のプラグ抜き具は、抜きにくい、既存のプラグに簡単に装着でき、抜くことができる。着脱が簡単なので、１個のプラグ抜き具で複数の抜きにくいプラグに使用できる。前準備が不要で、差込まれた状態のプラグに適用できる。構造が簡単で、安価に製造できるという効果がある。
【００９１】
請求項２に示す発明のプラグ抜き具の効果は、請求項１に示す発明のプラグ抜き具の効果と同じである。
【００９２】
請求項３に示す発明のプラグ抜き具の効果は、請求項１に示す発明のプラグ抜き具の効果と同じである。
【００９３】
請求項４に示す発明のプラグ抜き具は、請求項１に示す発明のプラグ抜き具の効果の他に、握り部を握る力で、プラグをつかむ力を調整できる。プラグをつかむ動作のままで、プラグを抜けるという持替えずに１動作で抜けるという効果がある。
【００９４】
請求項５に示す発明のプラグ抜き具は、請求項１〜請求項４に示す発明のプラグ抜き具の効果の他に、つかみ部の先端に爪が付いているので、滑り防止になり、確実にプラグが抜けるという効果がある。
【００９５】
請求項６に示す発明のプラグ抜き具は、請求項１〜請求項５に示す発明のプラグ抜き具の効果の他に、蓋開部１７が付いているので、蓋開具としても使用できるという効果がある。
【００９６】
請求項７に示す発明のプラグ抜き具は、離れた所から遠隔操作で、プラグを抜くことができるという効果がある。
【００９７】
請求項８に示す発明のプラグ抜き具は、離れた所から遠隔操作で、プラグを抜くことができるという効果の他に、引紐の先にリールが付いているので、引紐の始末が簡単で、リールをフック等で簡単に電気器具に取り付けできるという効果がある。
【図面の簡単な説明】
【図１】実施例１を示す斜視図である。
【図２】実施例２を示す斜視図及び平面図である。
【図３】実施例３を示す平面図である。
【図４】実施例４を示す平面図である。
【図５】実施例５を示す斜視図、平面図及び背面図である。
【図６】実施例６を示す平面図である。
【図７】実施例７を示す平面図及び部分拡大平面図である。
【図８】実施例８を示す平面図である。
【図９】実施例９を示す平面図である。
【図１０】実施例１０を示す説明図である。
【図１１】従来の技術を示す斜視図及び平面図である。
【符号の説明】
１      プラグ抜き具
１１    つかみ部
１１１  爪
１２    腕部
１３    結合部分
１４    弾性部
１４１  バネ
１４２  支点
１４３  板バネ
１４４  凹部
１４５  ストッパー
１５    握り部
１６    取手
１６１  脚
１６２  連結片
１６３  引紐
１６４  リール
１７    蓋開部
１８    接着部
２      プラグ
２１    コード
２２    端子
２２１  保持孔
３      手
４      コンセント
５      蓋
６      電気器具
【図１】
2005044537.tif 000003
【図２】
2005044537.tif 000004
【図３】
2005044537.tif 000005
【図４】
2005044537.tif 000006
【図５】
2005044537.tif 000007
【図６】
2005044537.tif 000008
【図７】
2005044537.tif 000009
【図８】
2005044537.tif 000010
【図９】
2005044537.tif 000011
【図１０】
2005044537.tif 000012
【図１１】
2005044537.tif 000013